(57)【特許請求の範囲】
【請求項１】
筒状体の少なくとも一方の開口が塞がれてなる筒状袋体と、
筒状袋体の、塞がれた一方の開口を覆う化粧紙と、
剥離糊と接着糊からなり、筒状袋体と化粧紙とを連結する糊部とを具え、
筒状袋体の一方の開口を塞いでいる折り部が、筒状袋体の各側端にそれぞれ連続する一対の第一の折り部と、筒状袋体の正面と背面にそれぞれ連続する一対の第二の折り部を具えている紙袋であって、
化粧紙は、剥離糊が取り付けられる第一の領域と、接着糊が取り付けられる第二の領域と、第一の領域と第二の領域との間に形成される境界部とを具え、
一方の開口を開封する化粧紙の開封テープは、第一の領域と境界部を具えてなり、
化粧紙は、
境界部に設けられ、かつ一端が化粧紙の外縁に臨む一本の第一の切込みと、
第二の領域に設けられ、かつ一端が境界部に臨む第二の切込みであって、一対の第二の折り部のうち外側に配置される他方の折り部に沿って配置された第二の切込み
とを有することを特徴とする紙袋。 
【発明の詳細な説明】
【技術分野】
【０００１】
本発明は、開封作業が容易である紙袋に関し、特に、開封テープを具え開封作業が容易である紙袋に関する。
【背景技術】
【０００２】
従来から、図１２で示すように、両端開口の筒状体３の少なくとも一方の開口３ａが塞がれてなる筒状袋体２と、筒状袋体２の塞がれた開口を覆う化粧紙２１とを具えた紙袋７１がある。  
筒状袋体２を形成する筒状体３は、シート状の紙を、その幅方向両端を互いに接着することにより筒状にしたものを少なくとも含み、紙袋７１を複数層で構成する場合には、各層に相当するシート状の素材を筒状にし、互いに重ね合わせたものである。
なお、図１２は、従来の紙袋を底面側から見た様子を示す要部概念図である。また、図１２乃至後述する図１７では同一部分を同一符号で示している。
【０００３】
図１３は、図１２の紙袋の分解概念図である。
筒状袋体２は、筒状体３の少なくとも一方の開口３ａに臨む部分が折られ、この折られた部分（以下「折り部」という。）７が互いに折り重ねられるとともに互いに対向する折り部７同士の間に第一の剥離糊（符号なし）が介在されて一方の開口３ａが塞がれてなる。
なお、筒状袋体２には、折り部７が折られることにより、正面２ａ、背面、両側端が形成され、これらはそれぞれ紙袋７１の正面、背面、両側端となる。
【０００４】
折り部７は、筒状袋体２の各側端にそれぞれ連続する一対の第一の折り部８と、第一の折り部８に折り重ねられる一対の第二の折り部９を有している。また、一対の第二の折り部９は、互いに対向する一方の折り部１０と他方の折り部１１からなり、一方の折り部１０と他方の折り部１１は、それぞれ筒状袋体２の背面、正面２ａに連続している。また、他方の折り部１１は一方の折り部１０の外側に配置される。
【０００５】
また、互いに対向する折り部７同士の間に介在する第一の剥離糊には、他方の折り部１１と一方の折り部１０との間に介在される第一の剥離糊（符号なし）がある。
図１３及び図１４で示すように、他方の折り部１１は、一方の折り部１０に、この第一の剥離糊により糊付けされる糊付け部Ｈを具えている。  
この糊付け部Ｈは、他方の折り部１１の先端１１ａから、他方の折り部１１が一方の折り部１０の先端１０ａと接する位置まで延設されている。  
なお、この他方の折り部１１が一方の折り部１０の先端１０ａと接する位置は、紙袋１を底面からみて各第一の折り部８の始端同士を結ぶ仮想中心線Ｘに対し他方の折り部１１の折りが行われている側にある。
なお、図１４は、図１２の紙袋の糊付け部を示す概念図である。糊付け部Ｈは化粧紙２１の裏面に設けられているが、この図１４では、糊付け部Ｈを、その理解を容易にするため斜線で図示している。またこの図１４では、開封テープ２５（後述）が引かれた様子も図示している。
【０００６】
また、折り部７によって形成される筒状袋体２の外面が、一方の開口３ａを塞いでおり、この筒状袋体２の外面と化粧紙２１とが、接着糊Ｂ２（図７（ａ）参照）のみからなる糊部によって連結されている。
【０００７】
化粧紙２１は、この接着糊Ｂ２が取り付けられる２つの接着糊領域８１ｂと、この２つの接着糊領域８１ｂの間に形成される境界部２１ｃとを具えている。
【０００８】
また、接着糊領域８１ｂは、図１２で示すように筒状袋体２の塞がれた一方の開口３ａが化粧紙２１で覆われたとき、境界部２１ｃに対し、一方の折り部１０の折りが行われている側と、他方の折り部１１の折りが行われている側の双方に配置される。
【０００９】
また、化粧紙２１には、塞がれた一方の開口３ａを開封する開封テープ２５が設けられている。
この開封テープ２５は、開封紐２５ａが取り付けられた境界部２１ｃのみからなる。開封紐２５ａは化粧紙２１の全長にわたって貼り付けられている。  
なお、境界部２１ｃの開封テープ２５および各接着糊領域８１ｂは、折り部７に接する化粧紙２１の裏面に設けられているが、図１２、図１３、図１５、図１６および図１７では、理解を容易にするため斜線で図示している。
【００１０】
この化粧紙２１には、境界部２１ｃに、一端が化粧紙２１の外縁に臨む第一の切込み３３が二本設けられている。この第一の切込み３３は、いずれも開封テープ２５と接着糊領域８１ｂとの間に配置されている。なお、化粧紙２１には、第一の切込み３３を除き切込みは設けられていない。  
また、各第一の切込み３３および境界部２１ｃは、いずれも、紙袋１を底面からみて各第一の折り部８の始端同士を結ぶ仮想中心線Ｘに対し、一方の折り部１０の折りが行われている側に配置されている。
【００１１】
また、このように化粧紙２１によって筒状袋体２の塞がれた一方の開口３ａが覆われると、紙袋７１の底部が完成する。筒状体３の他方の開口（口部）から、充填物が充填され、さらに口部を塞ぐと、充填物を収容できる。
【００１２】
この紙袋７１（図１２）を開封するには、まず図１５で示すように開封テープ２５を二本の第一の切込み３３に沿って引く。
すると、二本の第一の切込み３３に沿って、開封テープ２５が筒状袋体２と化粧紙２１の各接着糊領域８１ｂから引き離される。さらにその後、この開封テープ２５の引き離しは、開封紐２５ａに沿って行われる。 
なお、図１５は、図１２の紙袋の開封テープが引かれた様子を示す概念図である。
【００１３】
図１５で示すように、開封テープ２５が引かれると、他方の折り部１１の先端１１ａが露出する。ここで、他方の折り部１１が露出する幅は開封テープ２５の幅と同一幅であり、開封テープ２５は境界部２１ｃのみからなる。そのため、他方の折り部１１が露出する幅は、境界部２１ｃの幅と同一幅である。
次に、露出した先端１１ａを掴んで、この先端１１ａを持ち手とし、他方の折り部１１を、一方の折り部１０および第一の折り部８に対し離す方向に引く。
すると、図１６で示すように、第一の剥離糊により糊付けされていた他方の折り部１１の糊付け部Ｈと一方の折り部１０、および第一の剥離糊により糊づけされていた他方の折り部１１と第一の折り部８とを、いずれも分離することができ、これにより他方の折り部１１の折りを解除できる。
【００１４】
また、このように他方の折り部１１の露出した先端１１ａを掴んで、この先端１１ａを持ち手とし、他方の折り部１１を、一方の折り部１０および第一の折り部８に対し離す方向に引き、これにより他方の折り部１１の折りを解除する際、他方の折り部１１には、図１５で示すように、境界部２１ｃに対し他方の折り部１１の折りが行われる側にある接着糊領域８１ｂが接着されており、この接着糊領域８１ｂには一方の折り部１０が接着されている。したがって、他方の折り部１１の折りを解除する際、この接着糊領域８１ｂを破いて他方の折り部１１を一方の折り部１０から分離するようにしている。なお、上記した図１６は、図１５の紙袋の一対の第二の折り部のうちの他方の折り部の折りを解除した様子を示す概念図である。
【００１５】
また、他方の折り部１１の露出した先端１１ａを掴んで、この先端１１ａを持ち手とし、他方の折り部１１を、一方の折り部１０および第一の折り部８に対し離す方向に引き、これにより他方の折り部１１の折りを解除する際、他方の折り部１１には、境界部２１ｃに対し他方の折り部１１の折りが行われる側にある接着糊領域８１ｂが接着されており、この接着糊領域８１ｂには第一の折り部８が接着されている。したがって、他方の折り部１１の折りを解除する際、この接着糊領域８１ｂを破いて他方の折り部１１を第一の折り部８から分離するようにしている。
【００１６】
次に、図１６で示す一方の折り部１０の先端１０ａを掴んで、図１７で示すように一方の折り部１０を第一の折り部８に対し離す方向に引く。すると、一方の折り部１０を第一の折り部８から分離することができ、これにより一方の折り部１０の折りを解除できる。
【００１７】
また、このように一方の折り部１０の先端１０ａを掴んで一方の折り部１０を第一の折り部８に対し離す方向に引き、これにより一方の折り部１０の折りを解除する際、図１６で示すように、一方の折り部１０には、境界部２１ｃに対し他方の折り部１１の折りが行われる側にある接着糊領域８１ｂが接着されており、この接着糊領域８１ｂは第一の折り部８にも接着されている。したがって、一方の折り部１０の折りを解除する際、この接着糊領域８１ｂを破いて一方の折り部１０を第一の折り部８から分離するようにしている。
【００１８】
また、一方の折り部１０の先端１０ａを掴んで一方の折り部１０を第一の折り部８に対し離す方向に引き、これにより一方の折り部１０の折りを解除する際、一方の折り部１０には、境界部２１ｃに対し、一方の折り部１０の折りが行われる側の接着糊領域８１ｂが接着されており、しかも、この接着糊領域８１ｂが第一の折り部８にも接着されている。したがって、一方の折り部１０の折りを解除する際、この接着糊領域８１ｂを破いて一方の折り部１０を第一の折り部８から分離するようにしている。
【００１９】
このように一方の折り部１０の折りを解除した後、図１７の二点鎖線で示すように第一の折り部８の折りを解除すると、紙袋７１の、塞がれた一方の開口３ａを解放すること、いいかえると紙袋７１を開封することができる。
なお、図１７は、図１６の紙袋の一対の第二の折り部のうちの一方の折り部の折りを解除した様子を示す概念図である。
【００２０】
また、従来から、化粧紙２１の開封テープ２５を設けずに開封できる紙袋がある。この紙袋では、折り部７によって形成されている筒状袋体２の外面の四隅部分を、化粧紙によって完全に覆うとともに、筒状袋体２の外面にその化粧紙を剥離糊のみによって連結させている（特許文献１）。
【先行技術文献】
【特許文献】
【００２１】
【特許文献１】特開２００９−１０７６８９号公報
【発明の概要】
【発明が解決しようとする課題】
【００２２】
従来の紙袋７１では、開封テープ２５は開封紐２５ａが取り付けられた境界部２１ｃのみからなるので、開封用テープ２５が二本の第一の切込み３３に沿って引かれ、これにより開封テープ２５が筒状袋体２と化粧紙２１の各接着糊領域８１ｂから引き離された場合に他方の折り部１１が露出する幅は、開封紐２５ａの幅と同一幅である。したがって、他方の折り部１１の先端１１ａ（図１４）を掴もうとしても摘む状態になってしまい、掴むことが難しく、またこの先端１１ａを持ち手として他方の折り部１１を、一方の折り部１０または第一の折り部８に対し離す方向に引くことが難しい。そのため他方の折り部１１の折りを解除することが煩雑で、これにより、開封テープ２５を具えた紙袋７１の開封作業が煩雑であった。
【００２３】
上述した事情に鑑み、本願の発明は、開封テープを具え開封作業が容易である紙袋を提供することを目的とする。
【課題を解決するための手段】
【００２４】
本願の発明は、筒状体の少なくとも一方の開口が塞がれてなる筒状袋体と、筒状袋体の、塞がれた一方の開口を覆う化粧紙と、第二の剥離糊と接着糊からなり、筒状袋体と化粧紙とを連結する糊部とを具え、筒状袋体の一方の開口を塞いでいる折り部が、筒状袋体の各側端にそれぞれ連続する一対の第一の折り部と、筒状袋体の正面と背面にそれぞれ連続する一対の第二の折り部を有する紙袋であって、化粧紙は、第二の剥離糊が取り付けられる第一の領域と、接着糊が取り付けられる第二の領域と、第一の領域と第二の領域との間に形成される境界部とを具え、一方の開口を開封する化粧紙の開封テープは、第一の領域と境界部を具えてなり、化粧紙は、境界部に設けられ、かつ一端が化粧紙の外縁に臨む一本の第一の切込みと、第二の領域に設けられ、かつ一端が境界部に臨む第二の切込みであって、一対の第二の折り部のうち外側に配置される他方の折り部に沿って配置された第二の切込みとを有することを特徴としている。
【発明の効果】
【００２５】
本願の発明の紙袋は、筒状体の少なくとも一方の開口が塞がれてなる筒状袋体と、筒状袋体の、塞がれた一方の開口を覆う化粧紙と、第二の剥離糊と接着糊からなり、筒状袋体と化粧紙とを連結する糊部とを具え、筒状袋体の一方の開口を塞いでいる折り部が、筒状袋体の各側端にそれぞれ連続する一対の第一の折り部と、筒状袋体の正面と背面にそれぞれ連続する一対の第二の折り部を有する紙袋であって、化粧紙は、第二の剥離糊が取り付けられる第一の領域と、接着糊が取り付けられる第二の領域と、第一の領域と第二の領域との間に形成される境界部とを具え、一方の開口を開封する化粧紙の開封テープは、第一の領域と境界部を具えてなり、化粧紙は、境界部に設けられ、かつ一端が化粧紙の外縁に臨む一本の第一の切込みと、第二の領域に設けられ、かつ一端が境界部に臨む第二の切込みであって、一対の第二の折り部のうち外側に配置される他方の折り部に沿って配置された第二の切込みとを有することとしたから、従来に比し開封テープを具えた紙袋の開封作業が容易である。
【図面の簡単な説明】
【００２６】
【図１】図１は、本願発明の実施例の紙袋を示す図であって、特に充填物が収容されて口部が塞がれた紙袋を底面側から見た様子を示す概念斜視図である。
【図２】図２（ａ）は、図１の紙袋を構成する筒状体の概念正面図であり、図２（ｂ）は、図２（ａ）のＡ−Ａ概念断面図である。
【図３】図３は、図１の紙袋の要部分解概念図であり、特にその底面側から見た様子を示す図である。
【図４】図４（ａ）は、図３の筒状袋体の第一の折り部が折られた様子を示す概念図であり、図４（ｂ）は、図４（ａ）の筒状袋体の一対の第二の折り部のうちの一方の折り部が折られる様子を示す概念図である。
【図５】図５は、図１の紙袋を底面側から見た様子を示す要部概念図である。
【図６】図６は、図５の紙袋の開封テープが引かれた様子を示す概念図である。
【図７】図７（ａ）は、図５のＤ−Ｄ概念断面図であり、図７（ｂ）は図６のＥ−Ｅ概念断面図であり、図７（ｃ）は図７（ｂ）の紙袋の一対の第二の折り部を構成している他方の折り部の折りを解除している様子を示す概念断面図である。
【図８】図８は、図５の紙袋の一対の第二の折り部のうちの他方の折り部の折りを解除した様子を示す概念図である。
【図９】図９は、図８の紙袋の一対の第二の折り部のうちの一方の折り部の折りを解除した様子を示す概念図である。
【図１０】図１０は、図６の紙袋の非糊付け部および糊付け部の様子を示す概念図である。
【図１１】図１１は、図１の紙袋の強度を測定する落袋試験の結果を、従来の紙袋のものと比較して示す表である。
【図１２】図１２は、従来の紙袋を底面側から見た様子を示す要部概念図である。
【図１３】図１３は、図１２の紙袋の分解概念図である。
【図１４】図１４は、図１２の紙袋の糊付け部を示す概念図である。
【図１５】図１５は、図１２の紙袋の開封テープが引かれた様子を示す概念図である。
【図１６】図１６は、図１５の紙袋の一対の第二の折り部のうちの他方の折り部の折りを解除した様子を示す概念図である。
【図１７】図１７は、図１６の紙袋の一対の第二の折り部のうちの一方の折り部の折りを解除した様子を示す概念図である。
【発明を実施するための形態】
【００２７】
本発明の紙袋について、以下、実施例の紙袋に基づいて詳細に説明する。
【００２８】
図１は、本願発明の実施例の紙袋を示す図であって、特に充填物が収容されて口部が塞がれた紙袋を底面側から見た様子を示す概念斜視図である。なお、図１乃至後述する図１０では、図１２乃至図１７と同一部分を同一符号で示している。
図１で示すように、本願発明の実施例の紙袋１は、両端開口の筒状体３の少なくとも一方の開口３ａが塞がれてなる筒状袋体２と、筒状袋体２の、塞がれた一方の開口３ａを覆う化粧紙２１を具えている。
【００２９】
図２（ａ）は、図１の紙袋を構成する筒状体の概念正面図であり、図２（ｂ）は、図２（ａ）のＡ−Ａ概念断面図である。
図２（ａ）及び図２（ｂ）で示すように、筒状袋体２を形成する筒状体３は、筒状にされたヒートシール層４と、ヒートシール層４の外周を覆うとともに筒状にされた紙の第一層５と、紙の第一の層５の外周を覆うとともに筒状にされた紙の第二層６とを具えている。なお、ヒートシール層４は、筒状体３の最内層として配置される。また、紙の第二層６の外周面は、筒状体３の表面を形成する。  
【００３０】
また、ヒートシール層４は、ヒートシール（熱融着）される素材、より具体的には、不燃材料又は焼却不適材料で形成されるか又はこれを含む材料で形成されている。たとえば、ヒートシール層４はポリエチレンより形成されている。
また、ヒートシール層４は、予め、筒状体３の一方の開口３ａ側がヒートシールによって閉塞されている。なお、この閉塞された開口は、紙袋１の内袋（後述）の底部となる。
また、ヒートシール層４は、図２（ａ）および図２（ｂ）で示すように、紙の第一層５に剥離糊６１によって糊づけされている。
【００３１】
図３は、図１の紙袋の要部分解概念図であり、特に、その底面側から見た様子を示す図である。
図３で示すように、この実施例の紙袋１では、筒状袋体２は、筒状体３の一方の開口３ａに臨む部分が折られ、この折られた部分（以下、「折り部」という。）７が互いに折り重ねられるとともに互いに対向する折り部７同士の間に第一の剥離糊が介在されて当該一方の開口３ａが塞がれてなる。
【００３２】
折り部７は筒状袋体２の各側端にそれぞれ連続する一対の第一の折り部８と、第一の折り部８に折り重ねられる一対の第二の折り部９を有している。この一対の第二の折り部９は、互いに対向する一方の折り部１０と他方の折り部１１とを有している。この一方の折り部１０および他方の折り部１１は、それぞれ筒状袋体２の背面、正面２ａにそれぞれ連続している。
【００３３】
筒状体３から筒状袋体２を形成するには、まず、図４（ａ）で示すように、筒状体３の一側端に連続する第一の折り部８と他側端に連続する第一の折り部８をいずれも一方の開口３ａの内側方向へ向け折り、次に図４（ｂ）で示すように、筒状体３の一対の第二の折り部９のうち一方の折り部１０を一方の開口３ａの内側方向へ向け折る。すると、一方の折り部１０は、第一の折り部８に折り重ねられる。
次に、図３で示すように、筒状体３の一対の第二の折り部９のうち他方の折り部１１を一方の開口３ａの内側方向へ向け折る。すると、他方の折り部１１は、第一の折り部８または一方の折り部１０に折り重ねられ、このとき他方の折り部１１は一方の折り部１０の外側に配置される。  
なお、上記した図４（ａ）は、図３の筒状袋体を形成する手順として、第一の折り部が折られた様子を示す概念図であり、図４（ｂ）は、図３の筒状袋体を形成する手順として、図４（ａ）の筒状袋体の一対の第二の折り部のうちの一方の折り部が折られる様子を示す概念図である。
【００３４】
図４（ｂ）で示すように、一対の第二の折り部９のうちの一方の折り部１０が折られるとき、一方の折り部１０と第一の折り部８とが互いに対向する。また、図３で示すように、他方の折り部１１が折られるとき、他方の折り部１１と第一の折り部８とが対向し、また他方の折り部１１と一方の折り部１０とが互いに対向する。
これらの各互いに対向する折り部７同士の間には、上述したように第一の剥離糊を介在させる。
そのため、図３で示すように、筒状体３の一方の開口３ａが塞がれてなる筒状袋体２が形成される。なお、第一の剥離糊は、該第一の剥離糊によって連結される２つの部材を手で引き離すことにより分離できる連結強度の糊である。
【００３５】
なお、ヒートシール層４は、第一の折り部８が折られるとき、紙の第一層５、紙の第二層６は一括して折られ、このときヒートシール層４は、筒状体３の背面側に位置する紙の第一層５および筒状体３の背面側に位置する紙の第二層６とともに折られる。また、一対の第二の折り部９のうちの一方の折り部１０が折られるとき、紙の第一層５、紙の第二層６およびヒートシール層４が一括して折られる。また、一対の第二の折り部９のうちの他方の折り部１１が折られるとき、紙の第一層５及び紙の第二層６が一括して折られる。
【００３６】
また、図３で示すように、筒状袋体２の一対の第二の折り部９のうちの他方の折り部１１は、一方の折り部１０に糊付けされる糊付け部Ｈを具えている。この糊付けは第一の剥離糊（符号なし）によって行われる。また、この糊付け部Ｈは、紙袋１を底面からみて各第一の折り部８の始端同士を結ぶ仮想中心線Ｘに対し、他方の折り部１１の折りが行われている側にのみ配置されている。
【００３７】
また、他方の折り部１１には、他方の折り部１１の先端１１ａを含み、かつ一方の折り部１０に糊付けされない非糊付け部Ｒが設けられている。この非糊付け部Ｒは、第一の剥離糊による糊付けがされない。なお、非糊付け部Ｒは接着糊による接着もなされない。また、非糊付け部Ｒは第一の折り部８にも糊付けされない。
この非糊付け部Ｒは、他方の折り部１１の先端１１ａから、他方の折り部１１が一方の折り部１０の先端１０ａと接する位置に達しない位置まで延設されている。
【００３８】
また、紙袋１は、筒状袋体２の折り部７によって形成される外面と化粧紙２１とを連結する糊部Ｂ（図７（ａ））を具えている。この糊部は、第二の剥離糊Ｂ１と接着糊Ｂ２からなる。
第二の剥離糊Ｂ１は、該第二の剥離糊Ｂ１によって連結される２つの部材を手で引き離すことにより分離できる連結強度の糊である。また、接着糊Ｂ２とは、接着糊Ｂ２によって連結される２つの部材を手で引き離すことにより分離できない連結強度の糊である。  
なお、第二の剥離糊Ｂ１、接着糊Ｂ２および上述した第一の剥離糊はいずれも、従前から存在する糊である。
【００３９】
図３で示すように、化粧紙２１は、第二の剥離糊Ｂ１が取り付けられる第一の領域２１ａと、接着糊Ｂ２が取り付けられる第二の領域２１ｂと、第一の領域２１ａと第二の領域２１ｂとの間に形成される境界部２１ｃとを具えている。第一の領域２１ａは、第二の領域２１ｂに対し一方の折り部１０の折りが行われている側に配置されている。
なお、第一の領域２１ａ、第二の領域２１ｂは、折り部７に接する化粧紙２１の裏面に設けられているが、図３、後述する図５、図６、図８および図９では、理解を容易にするため斜線で図示している。
【００４０】
図５は、図１の紙袋を底面側から見た様子を示す要部概念図である。
図５で示すように、筒状袋体２の塞がれた一方の開口３ａ（図３）を化粧紙２１で覆い、筒状袋体２の折り部７によって形成される筒状袋体２の外面と化粧紙２１とを糊部Ｂによって連結（糊付け）すると、紙袋１の底部が完成する。  
また、紙袋１の底部が完成したとき、化粧紙２１の第一の領域２１ａは、第二の領域２１ｂに対し一方の折り部１０の折りが行われている側に配置される。
【００４１】
また、化粧紙２１には、塞がれた一方の開口３ａを開封する開封テープ２５が設けられている。  
この開封テープ２５は、第一の領域２１ａと境界部２１ｃを具えてなる。境界部２１ｃには、従前の開封紐２５ａが化粧紙２１の全長にわたって貼り付けられている。なお、開封紐２５ａは合成樹脂製のテープで、通常、カットテープとも呼ばれている。
【００４２】
また、化粧紙２１は、境界部２１ｃに設けられた一本の第一の切込み３３を有している。この第一の切込み３３の一端は化粧紙２１の外縁に臨んでいる。また、この第一の切込み３３は、開封テープ２５と第二の領域２１ｂとの間に配置される一本の切込みのみからなる。
なお、第一の切込み３３は、紙袋１を底面からみて各第一の折り部８の始端同士を結ぶ仮想中心線Ｘに対し他方の折り部１１の折りが行われている側に配置される。また、この第一の切込み３３が設けられた境界部２１ｃは、その中心線が、紙袋１を底面からみて各第一の折り部８の始端同士を結ぶ仮想中心線Ｘ上にあるように、配置される。
【００４３】
また、化粧紙２１は、第二の領域２１ｂに設けられ、かつ一端が境界部２１ｃに臨む第二の切込み４１を有している。この第二の切込み４１は、一対の第二の折り部９のうち外側に配置される他方の折り部１１に沿って配置されている。また、この第二の切込み４１は他方の折り部１１を第一の折り部８に対し分離する切込みである。
【００４４】
なお、第一の切込み３３及び第二の切込み４１は、筒状袋体２の、塞がれた一方の開口３ａが化粧紙２１により覆われる前に、形成される。
【００４５】
また、紙袋１の底部が完成すると、筒状体３の他方の開口である口部から充填物を充填できる。なお、ヒートシール層４は充填物を収容する内袋となり、紙の第一層５および紙の第二層６は内袋を覆う外袋となる。またさらに、口部に臨むヒートシール層４がヒートシール（熱融着）されて内袋が封緘された後、口部に臨む紙の第一層５および紙の第二層６が折り曲げられ、筒状袋体２の外面に取り付けられた封緘紙６２（図１）で口部が覆われると、外袋が封緘されこれにより、口部が塞がれる（封緘される）。  
【００４６】
次に、紙袋１を開封する手順について説明する。
【００４７】
この紙袋１を開封するには、まず、図５に示す開封テープ２５を一本の第一の切込み３３に沿って引く。すると、図６で示すように、開封テープ２５が、この一本の第一の切込み３３に沿って、筒状袋体２と化粧紙２１の第二の領域２１ｂから引き離される。さらにその後、この開封テープ２５の引き離しは、開封紐２５ａに沿って行われる。  
なお図６は、図５の紙袋１の開封テープ２５が引かれた様子を示す概念図である。
【００４８】
図７（ａ）は図５のＤ−Ｄ概念断面図であり、図７（ｂ）は図６のＥ−Ｅ概念断面図である。
図７（ａ）で示す開封テープ２５が引かれると、図６及び図７（ｂ）で示すように他方の折り部１１の先端１１ａが少なくとも露出する。このとき、他方の折り部１１と一方の折り部１０は第一の剥離糊（糊付け部Ｈ参照）により糊づけされているので、次に、図７（ｃ）で示すように、露出した先端１１ａを掴んで、その先端１１ａを持ち手として、他方の折り部１１を、一方の折り部１０および第一の折り部８に対し離す方向に引く。  
すると、図８で示すように、他方の折り部１１を、一方の折り部１０および第一の折り部８から分離することができ、これにより他方の折り部１１の折りを解除できた。
なお、図７（ｃ）は図７（ｂ）の紙袋の一対の第二の折り部を構成している他方の折り部の折りを解除している様子を示す概念断面図である。また、図８は、図５の紙袋の一対の第二の折り部のうちの他方の折り部の折りを解除した様子を示す概念図である。
【００４９】
また、引かれる開封テープ２５は、筒状袋体２と化粧紙２１の第二の領域２１ｂとから引き離される第一の領域２１ａと境界部２１ｃを具えている。また、第一の切込み３３は、化粧紙２１の境界部２１ｃに一本設けられ、かつ第一の切込み３３の一端は化粧紙２１の外縁に臨んでいる。したがって、開封テープ２５がこの一本の第一の切込み３３に沿って引かれ、これにより開封テープ２５が筒状袋体２と化粧紙２１の第二の領域２１ｂから引き離された場合に他方の折り部１１が露出する幅は、境界部２１ｃの開封紐２５ａの幅と同一幅であった従来の紙袋７１に比し広い。そのため、この紙袋１では、従来の紙袋７１に比し、露出した他方の折り部１１の先端１１ａを掴むことが容易で、先端１１ａを、摘んだ状態とはならずに確実に掴むことができ、その先端１１ａを持ち手として、他方の折り部１１を、一方の折り部１０および第一の折り部８に対し離す方向に引くことも、従来の紙袋７１に比し容易で、確実にできた。  
そのため、この紙袋１は、従来の紙袋７１に比し、他方の折り部１１を、一方の折り部１０および第一の折り部８から分離することが容易であり、これにより、従来の紙袋７１に比し、他方の折り部１１の折りを容易に解除できた。
【００５０】
また、図８で示すように他方の折り部１１の折りを解除した後、一方の折り部１０の先端１０ａを掴んで一方の折り部１０を第一の折り部８に対し離す方向に引く。すると、図９で示すように、一方の折り部１０を第一の折り部８から分離することができ、次に、図９の二点鎖線で示すように第一の折り部８の折りを解除すると、紙袋１の、塞がれた一方の開口３ａを解放すること、いいかえると紙袋１（この実施例では紙袋１の底部）を開封することができた。
なお、このような紙袋１の開封動作は充填物を取り出す場合に行われる。紙袋１の筒状体３がこの実施例のように複数層で構成されるときには、塞がれた一方の開口３ａを解放すると紙袋１の外袋が開封するので、内袋内に収容された充填物を、内袋とともに外袋に対し引き離して取り出してもよいし、または内袋を破いて内袋も開封し充填物のみを内袋及び外袋から取り出してもよい。また、紙袋１の筒状体３が紙層１層から構成されているときには、塞がれた一方の開口３ａを解放することにより直ちに充填物を取り出すことが可能である。
なお、図９は、図８の紙袋の一対の第二の折り部のうちの一方の折り部の折りを解除した様子を示す概念図である。
【００５１】
以上で説明したように、この発明の紙袋では、筒状体３の少なくとも一方の開口３ａが塞がれた筒状袋体２と、筒状袋体２の、塞がれた一方の開口３ａを覆う化粧紙２１と、第二の剥離糊Ｂ１と接着糊Ｂ２からなり、筒状袋体２と化粧紙２１とを連結する糊部Ｂとを具え、筒状袋体２の一方の開口３ａを塞いでいる折り部７が、筒状袋体２の各側端にそれぞれ連続する一対の第一の折り部８と、筒状袋体２の正面２ａと背面にそれぞれ連続する一対の第二の折り部９を具えている紙袋であって、化粧紙２１は、第二の剥離糊Ｂ１が取り付けられる第一の領域２１ａと、接着糊Ｂ２が取り付けられる第二の領域２１ｂと、第一の領域２１ａと第二の領域２１ｂとの間に形成される境界部２１ｃとを具えており、一方の開口３ａを開封する化粧紙２１の開封テープ２５は、筒状袋体２と化粧紙２１の第二の領域２１ｂから引き離される第一の領域２１ａと境界部２１ｃを具えている。また、化粧紙２１は、境界部２１ｃに設けられ、かつ一端が化粧紙２１の外縁に臨む一本の第一の切込み３３を有している。したがって、この紙袋１では、上述したように開封テープ２５がこの一本の第一の切込み３３に沿って引かれ、これにより開封テープ２５が筒状袋体２と化粧紙２１の第二の領域２１ｂから引き離された場合に他方の折り部１１が露出する露出幅は、従来の紙袋７１に比し広くなるから、従来の紙袋７１に比し、他方の折り部１１の折りを容易に解除できた。そのため、この発明の紙袋では、従来の紙袋７１に比し、開封テープ２５を具えた紙袋の開封作業（この実施例の紙袋１では底部の開封作業）が容易となった。いいかえると、この発明の紙袋１では、従来に比べ、開封テープ２５を具えた紙袋の開口性の向上を図ることができた。
【００５２】
なお、上述した実施例の紙袋１では、図３、図６又は図１０等で示すように、他方の折り部１１に、先端１１ａを含み、かつ一方の折り部１０に糊付けされない非糊付け部Ｒが設けられているものとし、開封テープ２５が一本の第一の切込み３３に沿って引かれ、これにより開封テープ２５が筒状袋体２と化粧紙２１の第二の領域２１ｂから引き離された場合に、非糊付け部Ｒが露出するものとしている。
しかし、この発明の紙袋は、この実施例１のものに限定されず、他方の折り部１１にこの非糊付け部Ｒが設けられていない紙袋であってもよい。
なお、上記した図１０は、図６の紙袋の非糊付け部および糊付け部の様子を示す概念図である。非糊付け部Ｒおよび糊付け部Ｈは化粧紙２１の裏面に設けられるが、図１０では、理解を容易にするため斜線で図示している。
【００５３】
また、この発明の紙袋が、上述した実施例の紙袋１のように、他方の折り部１１に、先端１１ａを含み、かつ一方の折り部１０に糊付けされない非糊付け部Ｒが設けられ、開封テープ２５が一本の第一の切込み３３に沿って引かれ、これにより開封テープ２５が筒状袋体２と化粧紙２１の第二の領域２１ｂから引き離された場合に、非糊付け部Ｒが露出する紙袋である場合には、掴まれる他方の折り部１１の先端１１ａは、図６及び図７（ｂ）で示すように、一方の折り部１０に糊づけされていないため、この非糊付け部Ｒが設けられていない紙袋（従来の紙袋７１（図１４）を含む。）に比べて、他方の折り部１１の先端１１ａを掴むことが容易で、その先端１１ａを持ち手として、他方の折り部１１を一方の折り部１０および第一の折り部８に対し離す方向に引くことも、非糊付け部Ｒが設けられていない紙袋（従来の紙袋７１を含む。）に比べて、容易となった。  
そのため、その紙袋１では、この非糊付け部Ｒが設けられていない紙袋（従来の紙袋７１を含む。）に比べて、他方の折り部１１を、一方の折り部１０および第一の折り部８から分離することが容易であり、これによりこの非糊付け部Ｒが設けられていない紙袋（従来の紙袋７１を含む。）に比べて、他方の折り部１１の折りを容易に解除できた。したがって、その紙袋１では、開封テープ２５を具えた紙袋１の開封作業を、この非糊付け部Ｒが設けられていない紙袋（従来の紙袋７１を含む。）に比べて容易にすることができた。
さらに、その紙袋１の非糊付け部Ｒが、上述した実施例の紙袋１の非糊付け部Ｒのように、他方の折り部１１の先端１１ａから、他方の折り部１１が一方の折り部１０の先端１０ａと接する位置に達しない位置まで延設されている場合には、図６及び図７（ｃ）で示すように、開封テープ２５から引き離された他方の折り部１１の非糊付け部Ｒと一方の折り部１０との間に空間Ｓが形成されるので、この空間Ｓに指を入れることにより、他方の折り部１１の先端１１ａを摘む状態とならずに該先端１１ａをさらに容易に掴むことができ、その先端１１ａを持ち手として、他方の折り部１１を一方の折り部１０および第一の折り部８に対し離す方向に引くことが、さらに容易となった。したがって、この紙袋１では、他方の折り部１１を、一方の折り部１０および第一の折り部８から分離することがさらに容易であり、これにより他方の折り部１１の折りをさらに容易に解除できた。そのため、この紙袋１では、開封テープ２５を具えた紙袋の開封作業を、さらに容易にすることができた。
また、この発明の紙袋が、上述した実施例の紙袋１（図６）のように開封テープ２５が一本の第一の切込み３３に沿って引かれ、これにより開封テープ２５が筒状袋体２と化粧紙２１の第二の領域２１ｂから引き離された場合に、非糊付け部Ｒが露出する紙袋である場合には、開封テープ２５の境界部２１ｃの位置が、従来の紙袋７１の境界部２１ｃ（図１４）よりも、紙袋１を底面からみて他方の折り部１１の折りが行われている側に配置され、また第一の切込み３３の位置（図６）も、従来の紙袋７１の各第一の切込み３３（図１４）よりも、紙袋１を底面からみて他方の折り部１１の折りが行われている側に配置されることとなる。したがって、その紙袋１は、従来の紙袋７１に比べ、開封テープ２５の幅を、従来の紙袋７１のそれより大きく確保でき、これにより、開封テープ２５を具えた紙袋の開封作業を、従来の紙袋７１に比べて容易にできた。
【００５４】
また、この実施例の紙袋１では、他方の折り部１１の露出した先端１１ａを掴んで、この先端１１ａを持ち手とし、他方の折り部１１を、一方の折り部１０および第一の折り部８に対し離す方向に引き、これにより他方の折り部１１の折りを解除する際、他方の折り部１１には化粧紙２１の第二の領域２１ｂが接着されている。しかし、この紙袋１では、第二の領域２１ｂは、一方の折り部１０には接着されていない。したがって、他方の折り部１１の折りを解除する際、従来の紙袋７１の他方の折り部１１の折りが行われている側の接着糊領域８１ｂのように化粧紙２１の第二の領域２１ｂを破く必要がない。いいかえると、第二の領域２１ｂは、他方の折り部１１を一方の折り部１０から分離して他方の折り部１１の折りを解除する際の抵抗、ひいては開封作業全体の抵抗にはならない。
そのため、この実施例の紙袋１では、従来の紙袋７１に比し、他方の折り部１１を一方の折り部１０から分離することが容易であり、これにより他方の折り部１１の折りを容易に解除できた。したがって、この紙袋１では、従来の紙袋７１に比し、開封作業を容易にすることができた。
【００５５】
また、この紙袋１では、他方の折り部１１の露出した先端１１ａを掴んで、この先端１１ａを持ち手とし、他方の折り部１１を、一方の折り部１０および第一の折り部８に対し離す方向に引き、これにより他方の折り部１１の折りを解除する際、他方の折り部１１には第二の領域２１ｂが接着されており、この第二の領域２１ｂには第一の折り部８が接着されている。
しかし、この発明の紙袋では、化粧紙２１は、第二の領域２１ｂに設けられ、かつ一端が境界部２１ｃに臨む第二の切込み４１を有しており、この第二の切込み４１は、一対の第二の折り部９のうち外側に配置される他方の折り部１１に沿って配置されている。したがって、他方の折り部１１を、一方の折り部１０および第一の折り部８に対し離す方向に引くと、従来の紙袋７１に比べて小さな力で、第二の切込み４１から、他方の折り部１１を自然に破き第一の折り部８に対し分離させることができ、その分離作業は、従来の紙袋７１のように他方の折り部１１の折りが行われている側の接着糊領域８１ｂを破く紙袋に比し、容易に行うことができた。
そのため、この発明の紙袋では、従来の紙袋７１に比し、他方の折り部１１の折りを容易に解除でき、これにより従来の紙袋７１に比し、開封作業を容易にすることができた。
なお、第二の切込み４１は、他方の折り部１１を第一の折り部８から分離して他方の折り部１１の折りを解除する際の抵抗、ひいては開封作業全体の抵抗を可及的に減らすものとして機能する。
また、上述したように、この発明の紙袋では、第二の切込み４１があるため開封作業が容易になるので、開封作業が短時間で行うこともできた。また、第二の切込み４１がない従来の紙袋７１では、他方の折り部１１の折りが行われている側の接着糊領域８１ｂをきれいに切ることができなかったが、この発明の紙袋では、第二の切込み４１を設けたので、第二の領域２１ｂをきれいに切ることができた。
【００５６】
また、この実施例の紙袋１では、一方の折り部１０には化粧紙２１の第二の領域２１ｂは接着されていない。したがって、一方の折り部１０の先端１０ａを掴んで一方の折り部１０を第一の折り部８に対し離す方向に引き、これにより一方の折り部１０の折りを解除する際、従来の紙袋７１の他方の折り部１１の折りが行われている側の接着糊領域８１ｂのように化粧紙２１の第二の領域２１ｂを破く必要はない。いいかえると、第二の領域２１ｂは一方の折り部１０を第一の折り部８から分離して一方の折り部１０の折りを解除する際の抵抗、ひいては開封作業全体の抵抗にはなっていないということである。
そのため、この実施例の紙袋１では、従来の紙袋７１に比し、一方の折り部１０を第一の折り部８から分離することが容易であり、これにより、従来の紙袋７１に比し一方の折り部１０の折りを容易に解除できた。したがって、この実施例の紙袋１では、従来の紙袋７１に比し開封作業を容易にすることができた。
【００５７】
また、この紙袋１では、一方の折り部１０の先端１０ａを掴んで一方の折り部１０を第一の折り部８に対し離す方向に引き、これにより一方の折り部１０の折りを解除する際、一方の折り部１０には、もはや第一の領域２１ａが取り付けられていない。この第一の領域２１ａと境界部２１ｃとを具えた開封テープ２５がすでに引かれて、開封テープ２５は一方の折り部１０の第二の領域２１ｂから引き離されているためである。
したがって、一方の折り部１０を第一の折り部８に対し離す方向に引き、これにより一方の折り部１０の折りを解除する際、従来の紙袋７１の一方の折り部１０の折りが行われている側の接着糊領域８１ｂのように化粧紙２１の第一の領域２１ａを破くことはおこりえない。このことは、第一の領域２１ａは、一方の折り部１０を第一の折り部８から分離して一方の折り部１０の折りを解除する際の抵抗、ひいては開封作業全体の抵抗にはならないということである。
そのため、この紙袋１では、従来の紙袋７１に比し、一方の折り部１０を第一の折り部８から分離することが容易で、これにより、従来の紙袋７１に比し、一方の折り部１０の折りを容易に解除できた。したがって、この発明の紙袋では従来の紙袋７１に比し、紙袋１の開封作業を容易にすることができた。
【００５８】
なお、この実施例の紙袋１では、筒状袋体２の他方の折り部１１に、他方の折り部１１の先端１１ａを含み、かつ一方の折り部１０に糊付けられない非糊付け部Ｒを設け、これにより開封テープ２５を具えた紙袋の開封作業を容易にするとともに、他方の折り部１１が、一方の折り部１０に糊づけられる糊付け部Ｈを具え、その糊付け部Ｈを、紙袋１を底面からみて各第一の折り部８の始端同士を結ぶ仮想中心線Ｘに対し他方の折り部１１の折りが行われている側にのみ配置しているので、後述する試験結果のように従来の紙袋７１と同程度の袋の強度を有する紙袋となった。
【００５９】
本発明の紙袋は、開封テープ２５を具えた紙袋の開封作業が容易であること、いいかえると開封テープ２５を具えた紙袋の開口性の向上を図ったものであり、しかも、以下の試験結果によると、従来の紙袋７１と同程度の袋の強度を有していたことが判明した。
図１１は、図１の紙袋の強度を測定する落袋試験の結果を、従来の紙袋のものと比較して示す表である。
図１１では、比較例である従来の紙袋７１と、本発明に係る上記した実施例の紙袋１の落袋試験の結果を並べて示しており、落下試験は、この各紙袋について水平落下実験、垂直落下実験、側面落下実験をそれぞれ２回行った結果を順次表したものである。  
【００６０】
・試験方法
本発明の実施例の紙袋１と、比較例である従来の紙袋７１について、塞いだ一方の開口３ａをさらに化粧紙２１で覆うことにより、紙袋１の底部を形成した後、口部から充填物を収容し、その後に口部に臨むヒートシール層４のヒートシール及び口部の封緘紙６２による封緘によって、紙袋１の口部を封緘したものを用意した。
そして、水平落下試験、垂直落下試験、側面落下試験を行った。
１）水平落下試験  
水平落下試験は、２回行った。
水平落下試験として、各紙袋を、紙袋の正面２ａを上に向け、高さ１．２ｍの落下高さから、５回落下させた後、紙袋の背面を上に向け紙袋を５回落下させ、これにより合計１０回の落下を行った。
２）垂直落下試験
垂直落下試験は、２回行った。
垂直落下試験として、高さ０．８ｍの位置から各紙袋を、その底部を下に向け落下させた。
３）側面落下試験
垂直落下試験は、２回行った。
垂直落下試験として、高さ０．８ｍの位置から各紙袋を、その側面のうち一方の側面から落下するように、この一方の袋側面を下に向けて５回落下させた後、他方の側面から落下するように、この他方の側面を下に向けて５回落下させ、これにより合計１０回の落下を行った。
この１）水平落下試験、２）垂直落下試験および３）側面落下試験では、各落下の後、各紙袋１での充填物の漏れ又は破袋の発生を目視にて確認した。
また、１）水平落下試験、２）垂直落下試験および３）側面落下試験の各試験において、合計１０回の落下を行った結果、紙袋の底部を構成する化粧紙（力紙）２１の破れが無く、充填物の漏れが無い場合には、その紙袋につき、合格品として「１０回打ち止め」と記録した。  
また、合計１０回の落下までに、紙袋の底部を構成する化粧紙（力紙）２１の破れ、又は充填物の漏れがあった場合には、その時点まで紙袋を落下させた回数と、その充填物の漏れの原因となった紙袋の破れ箇所を記録した。
【００６１】
また、この水平落下試験、垂直落下試験、および側面落下試験における、比較例の紙袋７１および本願の実施例の紙袋１についての共通の試験条件は以下のとおりであった。
・紙袋１の材料構成：以下の３層（いわゆる３Ｐ）の紙袋とした。
（１）ヒートシール層
ヒートシール層は、層厚１００μｍの低密度ポリエチレン（略号：ＬＬＤＰＯＴ）からなるポリエチレン層から構成されるものとした。
（２）紙層
紙層の第一層および第二層はいずれも、単位面積当たりの質量８４g／ｍ２のクラフト紙（略号：Ｋ）から構成されているものとした。
（３）紙袋の寸法：一袋の袋長さ（全長）Ｎが７２６ｍｍであり、胴幅（袋幅方向両端部の縁間の長さ）が５３５ｍｍで、底幅Ｍが１００ｍｍであることとした。
（４）紙袋の充填物
紙袋１に収容する充填物は紅茶の粉末であり、この充填物の重量は２０ｋｇであることとした。
【００６２】
図１１の落袋試験の結果で示すように、水平落下試験、側面落下試験および垂直落下試験では、本発明の上記実施例の紙袋１は、比較例の紙袋７１と同程度の袋の強度を有し、しかも、この実施例の紙袋１は上述したように、比較例である従来の紙袋７１に比し、開封テープ２５を具えた紙袋の開封作業が容易にできた。
【００６３】
また、この発明の紙袋において、筒状袋体２は、少なくとも一方の開口３ａが塞がれたものであればよく、他方の開口は、完全に又は部分的に開放（開口）されたものでもよいし、または完全に又は部分的に塞がれたものでもよい。
たとえば、この発明の紙袋は、上記した実施例の紙袋１のように、充填物の充填前において、筒状体３の二つの開口のうちの一方の開口３ａが塞がれるとともに他方の開口が完全に開放された状態である紙袋（片底貼袋）であってもよいし、あるいは充填物の充填前において、一方の開口３ａが塞がれるとともに、他方の開口が化粧紙によって覆われているものの完全には塞がれておらず部分的に塞がれて他方の開口に充填物を充填する充填口が設けられた紙袋（両底貼袋）であってもよい。この発明の紙袋は、筒状袋体２が、少なくとも一方の開口３ａが折り部７によって塞がれてなり、筒状袋体２の、塞がれた一方の開口３ａがこの実施例の化粧紙２１で覆われ、筒状袋体２とそれを覆う化粧紙２１との間が、この実施例の糊部Ｂによって連結され、一方の開口３ａを開封する化粧紙２１の開封テープ２５が化粧紙２１の第一の領域２１ａと境界部２１ｃを具えているものであればよい。
なお、上記した各紙袋の他方の開口を開封する手段、他方の開口を塞ぐ手段には、たとえばそれぞれ従前の開口を開封する手段、および従前の開口を塞ぐ手段が用いられる。
【００６４】
なお、この実施例の紙袋１は、複数層からなる紙袋として説明したが、この発明の紙袋はこれに限定されず、紙層１層からなる紙袋であってもよいことはいうまでもない。
【００６５】
なお、この発明の紙袋では、糊づけ部Ｈに塗布される第一の剥離糊は一方の開口３ａを塞ぐのに必要であるが、この第一の剥離糊は、上述した実施例の紙袋１のように線状に配置されてもよいし（図１０の剥離部Ｈを参照）、点状に配置されてもよい。
【産業上の利用可能性】
【００６６】
本願発明の紙袋は、開封テープを具え開封作業が容易な紙袋に適している。
【符号の説明】
【００６７】
１…紙袋  
２…筒状袋体
２ａ…正面
３ａ…一方の開口
３…筒状体
７…折り部
８…一対の第一の折り部
９…一対の第二の折り部
１０…一方の折り部
１１…他方の折り部
１１ａ…他方の折り部の先端
２１…化粧紙
２１ａ…第一の領域
２１ｂ…第二の領域
２１ｃ…境界部
２５…開封テープ
３３…第一の切込み
４１…第二の切込み
Ｂ１…第二の剥離糊
Ｂ２…接着糊
Ｂ…糊部
Ｈ…糊付け部
Ｌ１…第一の折り部の折り線
Ｌ２…一方の折り部の折り線
Ｌ３…他方の折り部の折り線
Ｓ…指を入れる空間
Ｒ…非糊付け部
Ｘ…各第一の折り部の始端同士を結ぶ仮想中心線
【図１】
0005944226.tif 000002
【図２】
0005944226.tif 000003
【図３】
0005944226.tif 000004
【図４】
0005944226.tif 000005
【図５】
0005944226.tif 000006
【図６】
0005944226.tif 000007
【図７】
0005944226.tif 000008
【図８】
0005944226.tif 000009
【図９】
0005944226.tif 000010
【図１０】
0005944226.tif 000011
【図１１】
0005944226.tif 000012
【図１２】
0005944226.tif 000013
【図１３】
0005944226.tif 000014
【図１４】
0005944226.tif 000015
【図１５】
0005944226.tif 000016
【図１６】
0005944226.tif 000017
【図１７】
0005944226.tif 000018